(57)【要約】【課題】本発明は、オーダシートを利用した画像印刷の利便性を向上させることができる画像印刷技術を提供する。【解決手段】印刷装置１０は、画像データが記憶されている記憶媒体８１０から該画像データを読み出す画像読出部１１２と、読み出された画像データを示すインデックス画像を用いて画像を印刷するための情報の記入をユーザから受け付ける受付欄を有するオーダシートを印刷する制御を行うオーダシート印刷制御部１１４と、オーダシートをスキャンして受付欄に記入された記入情報を認識するスキャン認識部１１６と、認識された記入情報に基づく画像補正を画像に施した補正画像を印刷する制御を行う補正印刷制御部１１８とを備える。【選択図】図２
2007143115.tif 000002
【特許請求の範囲】
【請求項１】
画像データに基づく画像を印刷装置で印刷する印刷方法であって、
前記画像データが記憶されている記憶媒体から該画像データを読み出す工程と、
前記印刷装置が、前記読み出された画像データを示すインデックス画像を用いて前記画像を印刷するための情報の記入をユーザから受け付けるオーダシートを、印刷する工程と、
前記オーダシートをスキャンすることによって、前記オーダシートに記入された記入情報を認識する工程と、
前記印刷装置が、前記認識された記入情報に基づく画像補正を前記画像に施した補正画像を印刷する工程と
を備える印刷方法。
【請求項２】
前記補正画像を印刷する工程は、コントラスト補正，シャープネス補正，明度補正，彩度補正，色温度補正，色濃度補正，色調補正，赤目補正，トリミング補正の少なくとも一つの前記画像に対する画像補正を、前記認識された記入情報に基づいて処理する工程を含む請求項１記載の印刷方法。
【請求項３】
前記補正画像を印刷する工程は、前記認識された記入情報に基づいて前記画像に対する逆光補正を処理する工程を含む請求項１または２記載の印刷方法。
【請求項４】
請求項１ないし３のいずれか記載の印刷方法であって、
前記オーダシートを印刷する工程は、
前記画像データに基づいて前記画像の画質レベルを評価する工程と、
前記評価した画像レベルを示す指標を前記オーダシートに設ける工程と
を含む印刷方法。
【請求項５】
前記画質レベルを評価する工程は、ぼやけ，ぶれ，露出度合，ノイズの少なくとも一つの評価項目に基づく画質レベルを評価する工程を含む請求項４記載の印刷方法。
【請求項６】
請求項１ないし５のいずれか記載の印刷方法であって、
前記オーダシートを印刷する工程は、前記画像補正の補正レベルに対応する複数のマーク部を前記オーダシートに設ける工程を含み、
前記記入情報を認識する工程は、前記マーク部に記入されたマークを前記記入情報として認識する工程を含み、
前記補正画像を印刷する工程は、前記マークが認識されたマーク部に対応する補正レベルの画像補正を前記画像に施すことによって、前記補正画像を生成する工程を含む印刷方法。
【請求項７】
請求項１ないし６のいずれか記載の印刷方法であって、
前記画像データを読み出す工程は、前記画像データに含まれ前記画像が撮影された際の撮影状況を示す撮影状況データを読み出す工程を含み、
前記オーダシートを印刷する工程は、前記読み出した撮影状況データに基づく画像補正を前記画像に施した態様を前記オーダシートに設ける工程を含む印刷方法。
【請求項８】
前記撮影情報データを読み出す工程は、イグジフ規格のデータを読み出す工程を含む請求項７記載の印刷方法。
【請求項９】
請求項１ないし５のいずれか記載の印刷方法であって、
前記オーダシートを印刷する工程は、
複数の態様で前記画像に画像補正を施したサンプル画像の各々を、前記インデックス画像として前記オーダシートに設ける工程と、
前記サンプル画像の各々に対応する複数のマーク部を前記オーダシートに設ける工程と
を含み、
前記記入情報を認識する工程は、前記マーク部に記入されたマークを前記記入情報として認識する工程を含み、
前記補正画像を印刷する工程は、前記マークが認識されたマーク部に対応するサンプル画像に施された画像補正を前記画像に施すことによって、前記補正画像を生成する工程を含む印刷方法。
【請求項１０】
請求項９記載の印刷方法であって、
前記サンプル画像を設ける工程は、
補正レベルを変化させて１種類または２種類の画像補正を前記画像に施した複数のサンプル画像を生成する工程と、
前記生成した複数のサンプル画像を、前記補正レベルの順に並べて前記オーダシートに設ける工程と
を含む印刷方法。
【請求項１１】
請求項１ないし５のいずれか記載の印刷方法であって、
前記オーダシートを印刷する工程は、前記画像補正の種類に対応するマーク部を前記オーダシートに設ける工程を含み、
前記記入情報を認識する工程は、前記マーク部に記入されたマークを前記記入情報として認識する工程を含み、
前記補正画像を印刷する工程は、前記マークが認識されたマーク部に対応する種類の画像補正を前記画像に施すことによって、前記補正画像を生成する工程を含む印刷方法。
【請求項１２】
前記補正画像を印刷する工程は、更に、前記補正画像の印刷に先立って、前記画像に施される画像補正の補正レベルの選択を前記ユーザから受け付ける工程を含む請求項１１記載の印刷方法。
【請求項１３】
請求項１ないし１２のいずれか記載の印刷方法であって、
前記記入情報を認識する工程は、前記インデックス画像上に記入されたマークを前記記入情報として認識する工程を含み、
前記補正画像を印刷する工程は、前記認識されたインデックス画像上のマークで示される部位に対応する前記画像の部位を、前記認識された記入情報に基づく画像補正を施すべき前記画像の部位として特定する工程を含む印刷方法。
【請求項１４】
前記補正画像を印刷する工程は、前記オーダシートがスキャンされ前記記入情報が認識された後、前記補正画像を直ちに印刷する工程を含む請求項１ないし１３のいずれか記載の印刷方法。
【請求項１５】
請求項１ないし１４のいずれか記載の印刷方法であって、
前記補正画像を印刷する工程は、
前記補正画像の印刷に先立って、該補正画像をディスプレイに表示する工程と、
前記補正画像の印刷に先立って、該補正画像の修正を前記ユーザから受け付ける工程と
を含む印刷方法。
【請求項１６】
前記補正画像を印刷する工程は、前記認識された記入情報に基づいて、前記補正画像の印刷に先立って該補正画像の修正を前記ユーザから受け付けるか否かを判断する工程を含む請求項１５記載の印刷方法。
【請求項１７】
画像データに基づく画像を印刷する印刷装置であって、
前記画像データが記憶されている記憶媒体から該画像データを読み出す画像読出部と、
前記読み出された画像データを示すインデックス画像を用いて前記画像を印刷するための情報の記入をユーザから受け付けるオーダシートを印刷する制御を行うオーダシート印刷制御部と、
前記オーダシートをスキャンすることによって、前記オーダシートに記入された記入情報を認識するスキャン認識部と、
前記認識された記入情報に基づく画像補正を前記画像に施した補正画像を印刷する制御を行う補正印刷制御部と
を備える印刷装置。
【請求項１８】
画像データに基づく画像を印刷する機能を印刷装置のコンピュータに実現させるためのプログラムであって、
前記コンピュータが、前記画像データが記憶されている記憶媒体から該画像データを読み出す機能と、
前記コンピュータが、前記読み出された画像データを示すインデックス画像を用いて前記画像を印刷するための情報の記入をユーザから受け付けるオーダシートを印刷する制御を行う機能と、
前記コンピュータが、前記オーダシートをスキャンすることによって、前記オーダシートに記入されている記入情報を認識する機能と、
前記コンピュータが、前記認識された記入情報に基づく画像補正を前記画像に施した補正画像を印刷する制御を行う機能と
を実現させるためのプログラム。
【発明の詳細な説明】
【技術分野】
【０００１】
本発明は、画像を印刷する画像印刷技術に関する。
【背景技術】
【０００２】
従来、記憶媒体に記憶されている画像データに基づく画像を印刷装置で印刷する際に、画像データを示すインデックス画像を用いて画像の印刷枚数や印刷サイズなどの指定を受け付けるマーク部が印刷されたオーダシートを用いて、画像データに基づく画像の印刷を実現する画像印刷技術があった。下記特許文献１−５には、従来の画像印刷技術が開示されている。
【０００３】
【特許文献１】特開２００４−２５５７２９号公報
【特許文献２】特開２００５−１１１８０２号公報
【特許文献３】特開２００５−１１７３２８号公報
【特許文献４】特開２００５−１２５７３０号公報
【特許文献５】特開２００５−１３８５７３号公報
【発明の開示】
【発明が解決しようとする課題】
【０００４】
しかしながら、従来の画像印刷技術では、オーダシートを利用して印刷される画像を修正することについては十分な考慮がなされていなかった。
【０００５】
本発明は、上記した課題を踏まえ、オーダシートを利用した画像印刷の利便性を向上させることができる画像印刷技術を提供することを目的とする。
【課題を解決するための手段】
【０００６】
上記した課題を解決するため、本発明の印刷装置は、画像データに基づく画像を印刷する印刷装置であって、画像データが記憶されている記憶媒体から該画像データを読み出す画像読出部と、読み出された画像データを示すインデックス画像を用いて画像を印刷するための情報の記入をユーザから受け付ける受付欄を有するオーダシートを印刷する制御を行うオーダシート印刷制御部と、オーダシートをスキャンして受付欄に記入された記入情報を認識するスキャン認識部と、認識された記入情報に基づく画像補正を画像に施した補正画像を印刷する制御を行う補正印刷制御部とを備えることを特徴とする。これによって、印刷装置のユーザは、印刷される画像に施される画像処理に関する要求を、オーダシートを用いて印刷装置に対して行うことができる。したがって、オーダシートを利用した画像印刷の利便性を向上させることができる。なお、認識された記入情報に基づく画像補正の種類は、例えば、コントラスト補正，シャープネス補正，明度補正，色温度補正，色濃度補正，色調補正，赤目補正，トリミング補正の少なくとも一つの画像補正を含むこととしても良い。
【０００７】
上述の印刷装置は、以下の形態を採ることもできる。例えば、オーダシート印刷制御部は、画像データに基づいて画像の画質レベルを評価する画質評価部を備え、印刷されるオーダシートには評価された画質レベルが示されても良い。これによって、印刷装置のユーザは、オーダシートに示された画質レベルを参考にした上で、オーダシートを用いて画像処理に関する要求を印刷装置に対して行うことができる。なお、評価される画質レベルは、ぼやけ，ぶれ，露出度合，ノイズの少なくとも一つの評価項目に基づく画質レベルであっても良い。
【０００８】
また、印刷されるオーダシートが有する受付欄は、画像補正の補正レベルに対応する複数のマーク部を有し、スキャン認識部は、マーク部に記入されたマークを記入情報として認識するマーク認識部を備え、補正印刷制御部は、マークが認識されたマーク部に対応する補正レベルの画像補正を画像に施した補正画像を印刷する制御を行っても良い。これによって、印刷装置のユーザは、印刷される画像の補正レベルを、オーダシートを用いて指定することができる。
【０００９】
また、画像データは、画像が撮影された際の撮影状況を示す撮影状況データを含み、印刷されるオーダシートには、撮影状況データに基づく画像補正を画像に施した態様が示されても良い。これによって、印刷装置のユーザは、撮影状況データに基づく画像補正を、オーダシートを用いて調整することができる。なお、撮影状況データはイグジフ規格のデータであっても良い。これによって、印刷装置は、デジタルスチルカメラによる撮影モード，ホワイトバランス，シャッタ速度，絞りなどの情報に基づいて適切な画像補正を施すことができる。
【００１０】
また、インデックス画像は、複数の態様で画像に画像補正を施したサンプル画像の各々を含み、印刷されるオーダシートが有する受付欄は、サンプル画像に対応する複数のマーク部を有し、スキャン認識部は、マーク部に記入されたマークを記入情報として認識するマーク認識部を備え、補正印刷制御部は、マークが認識されたマーク部に対応するサンプル画像に施された画像補正を画像に施した補正画像を印刷する制御を行っても良い。これによって、印刷装置のユーザは、サンプル画像を参考にして画像補正の態様を選択することができる。
【００１１】
また、印刷されるオーダシートが有する受付欄は、画像補正の種類に対応する複数のマーク部を有し、スキャン認識部は、マーク部に記入されたマークを記入情報として認識するマーク認識部を備え、補正印刷制御部は、マークが認識されたマーク部に対応する種類の画像補正を画像に施した補正画像を印刷する制御を行っても良い。これによって、印刷装置のユーザは、オーダシートを用いて画像補正の種類を指定することができる。また、この場合に、印刷装置は、更に、補正画像の印刷に先立って、画像に施される画像補正の補正レベルの選択をユーザから受け付ける補正レベル受付部を備えても良い。これによって、印刷装置のユーザは、オーダシートを利用して画像補正の種類を指定した後、その画像補正の補正レベルを印刷装置に指示することができる。
【００１２】
また、スキャン認識部は、インデックス画像上に記入されたマークを記入情報として認識する画像マーク認識部を備え、補正印刷制御部は、認識されたインデックス画像上のマークで示される部位に対応する画像の部位を、認識された記入情報に基づく画像補正を施すべき画像の部位として特定する補正部位特定部を備えても良い。これによって、印刷装置のユーザは、オーダシートを利用して画像の補正箇所を指定することができる。
【００１３】
また、補正印刷制御部は、オーダシートがスキャンされ記入情報が認識された後、直ちに、補正画像を印刷する制御を行っても良い。これによって、印刷装置のユーザは、画像補正が施された画像の印刷物を簡単な手順で得ることができる。
【００１４】
また、印刷装置は、更に、補正画像の印刷に先立って、該補正画像を表示する表示部と、補正画像の印刷に先立って、該補正画像の修正をユーザから受け付ける修正受付部とを備えても良い。これによって、印刷装置のユーザは、画像補正が施された画像を確認しつつ、その画像補正の修正を指示することによって、所望の画像補正が施された画像の印刷物を得ることができる。
【００１５】
また、補正印刷制御部は、認識された記入情報に基づいて、補正画像の印刷に先立って該補正画像の修正をユーザから受け付けるか否かを判断する修正判断部を備えても良い。これによって、印刷装置のユーザは、補正画像の修正を自ら行うか否かを、オーダシートを用いて選択することができる。
【００１６】
また、本発明の形態は、印刷装置に限るものではなく、例えば、画像データに基づく画像を印刷装置で印刷する印刷方法や、画像データに基づく画像を印刷する機能を印刷装置のコンピュータに実現させるためのプログラムの他、パーソナルコンピュータと印刷装置とスキャナ装置とを備えるコンピュータシステムなどに適用しても良い。また、本発明は、前述の形態に何ら限定されるものではなく、本発明の趣旨を逸脱しない範囲内において様々な形態で実施し得ることは勿論である。
【発明を実施するための最良の形態】
【００１７】
以上説明した本発明の構成および作用を一層明らかにするために、以下本発明を適用した画像印刷技術について、次の順序で説明する。
目次
Ａ．第１の実施例（補正レベルの指定）
Ａ−１．印刷装置の構成
Ａ−２．印刷装置の動作
Ｂ．第２の実施例（画質レベルの提示）
Ｃ．第３の実施例（撮影状況データによる補正態様の提示）
Ｄ．第４の実施例（サンプル画像の一覧の提示）
Ｅ．第５の実施例（補正種類の指定）
Ｆ．第６の実施例（補正部位の指定）
Ｇ．第７の実施例（補正レベルの修正）
Ｈ．第８の実施例（サンプル画像に対する補正種類の指定）
Ｉ．その他の実施形態
【００１８】
Ａ．第１の実施例（補正レベルの指定）：
Ａ−１．印刷装置の構成：
図１は、印刷装置１０の外観構成を示す斜視図である。図２は、印刷装置１０の内部構成を示す説明図である。図１および図２に示す印刷装置１０は、カラープリンタ，モノクロプリンタ，スキャナ，複写機などの各種機能を併せ持つ装置、いわゆる複合機である。印刷装置１０は、これらの機能に加えて、印刷装置１０に接続された記憶媒体に記憶されている画像を、オーダシートを用いて印刷する機能であるオーダシート・プリント機能を有する。
【００１９】
印刷装置１０は、印刷装置１０の各部を制御するメイン制御部１１０と、普通紙や写真用紙，ハガキなどの印刷媒体９００に印刷する印刷部１２０と、紙面上の画像を読み取ってデジタルデータに変換（スキャン、scan）するスキャナ部１３０と、フラッシュメモリを内蔵するメモリカードのような記憶媒体８１０にデータを読み書き可能なカードスロット１４０と、パーソナルコンピュータやデジタルスチルカメラ，デジタルビデオカメラなどの記憶媒体を内蔵する外部機器８２０とデータをやり取り可能な通信コネクタ１５０と、文字や画像を表示するディスプレイ部１６０と、印刷装置１０のユーザからの指示入力を受け付ける入力ボタン部１７０とを備える。
【００２０】
印刷装置１０のメイン制御部１１０は、カードスロット１４０に接続された記憶媒体８１０や通信コネクタ１５０に接続された外部機器８２０から画像データを読み出す画像読出部１１２と、読み出された画像データに基づく画像を印刷するための情報の記入をユーザから受け付けるオーダシートを印刷する制御を行うオーダシート印刷制御部１１４と、オーダシートをスキャンしてユーザによって記入された記入情報を認識するスキャン認識部１１６と、認識された記入情報に基づく画像補正を画像に施した補正画像を印刷する制御を行う補正印刷制御部１１８とを備える。
【００２１】
本実施例では、メイン制御部１１０は、セントラルプロセッシングユニット（Central Processing Unit、以下、ＣＰＵという）,リードオンリメモリ（Read Only Memory、以下、ＲＯＭという）,ランダムアクセスメモリ（Random Access Memory、以下、ＲＡＭという）などのハードウェアを備えたＡＳＩＣ（Application Specific Integrated Circuits）であり、メイン制御部１１０には、画像読出部１１２，オーダシート印刷制御部１１４，スキャン認識部１１６，補正印刷制御部１１８の各機能を実現させるソフトウェアがインストールされている。メイン制御部１１０の動作についての詳細は後述する。
【００２２】
印刷装置１０の印刷部１２０は、図２に示すように、印刷媒体９００に印刷インクを吐出する印刷ヘッドユニット２１０と、印刷ヘッドユニット２１０を搭載するキャリッジ２００と、キャリッジ２００を主走査方向に駆動するキャリッジ駆動部２４０と、印刷媒体９００を搬送する印刷媒体搬送部２５０とを備える。印刷部１２０の印刷ヘッドユニット２１０は、ブラック，シアン，ライトシアン，マゼンダ，ライトマゼンダ，イエロの各色のインク毎に計６個のインク吐出ヘッド２１１〜２１６を有する。インク吐出ヘッド２１１〜２１６の各々は、ピエゾ素子（図示しない）の電圧調整によってインクを印刷媒体９００に吐出する。印刷部１２０のインク吐出ヘッド２１１〜２１６，キャリッジ駆動部２４０，印刷媒体搬送部２５０は、メイン制御部１１０の指示に基づいて協働することによって、印刷媒体９００に対する印刷が実現される。
【００２３】
Ａ−２．印刷装置の動作：
図３は、第１の実施例において印刷装置１０のメイン制御部１１０によって実行される画像印刷処理を示すフローチャートである。印刷装置１０のメイン制御部１１０は、記憶媒体８１０や外部機器８２０がユーザによってカードスロット１４０や通信コネクタ１５０に取り付けられ、オーダシート・プリント機能の実施要求がユーザによって入力ボタン部１７０を介して入力された際に、図３の画像印刷処理を開始する。
【００２４】
印刷装置１０のメイン制御部１１０は、図３の画像印刷処理を開始すると、カードスロット１４０や通信コネクタ１５０に取り付けられている記憶媒体８１０や外部機器８２０から画像データを読み出す（ステップＳ１０５）。その後、メイン制御部１１０は、読み出された画像データに基づくオーダシートを印刷するための指示を印刷部１２０に対して行い（ステップＳ１１０）、これによって、オーダシートが印刷される。
【００２５】
図４は、第１の実施例において印刷装置１０によって印刷されたオーダシート９１０の一例を示す説明図である。図４のオーダシート９１０は、画像データに基づく画像が印刷される印刷用紙の種類を指定するための情報の記入をユーザから受け付ける受付欄である印刷用紙指定欄９１１０と、画像データに基づく画像の個々に関する印刷態様を指定するための情報の記入をユーザから受け付ける受付欄である印刷態様指定欄９１２０とを有する。
【００２６】
オーダシート９１０の印刷用紙指定欄９１１０は、複数の印刷用紙の種類に対応する複数のマーク部９１１２を有し、これらのマーク部９１１２は、画像データに基づく画像を印刷する印刷用紙の種類を指定する記入をユーザから受け付ける。本実施例では、複数のマーク部９１１２は、内側が空白である楕円状の図形である。本実施例では、複数のマーク部９１１２の各々には、それぞれ対応する印刷用紙の種類を示す文字が付される。図４に示す例では、複数のマーク部９１１２の各々には、それぞれ対応する印刷用紙の種類として、Ｌ判サイズの大きさで写真画質を実現する写真専用紙を示す「写真用紙‐Ｌ判」の文字，２Ｌ判サイズの写真専用紙を示す「写真用紙‐２Ｌ判」の文字，カードサイズの写真専用紙を示す「写真用紙‐カード」の文字，ハガキサイズの写真専用紙を示す「写真用紙‐ハガキ全面」の文字，Ａ４サイズの写真専用紙を示す「写真用紙‐Ａ４」の文字，標準設定されているＡ４サイズの印刷用紙を示す「フォーマット紙‐Ａ４」の文字がそれぞれ付されている。
【００２７】
オーダシート９１０の印刷態様指定欄９１２０は、印刷態様を指定するための情報の記入を、画像データに基づく画像毎にユーザから受け付ける記入部９１３０を有する。図５は、図４に示すオーダシート９１０の記入部９１３０を拡大して示す説明図である。オーダシート９１０の記入部９１３０は、読み出された画像データの各々を識別する識別子であるデータ名９１３２と、その画像データに基づく画像を示すインデックス画像９１３４と、その画像データに基づく画像の印刷枚数を指定する記入をユーザから受け付けるマーク部９１３６と、その印刷される画像に施すべき「明るさ」の補正レベルを指定する記入をユーザから受け付けるマーク部９１４２と、その印刷される画像に施すべき「色合い」の補正レベルを指定する記入をユーザから受け付けるマーク部９１４４と、その印刷される画像に施すべき「シャープネス(Sharpness)」の補正レベルを指定する記入をユーザから受け付けるマーク部９１４６とを有する。
【００２８】
記入部９１３０のインデックス画像９１３４の画質は、本実施例では、その画像データに基づき通常印刷される画像と同様の画質である。記入部９１３０のマーク部９１３６は、本実施例では、内側が空白である楕円を三つ縦に並べた図形であり、これら三つの楕円の内側には、「１」，「２」，「３」の数字がそれぞれ付され、それぞれ「１枚」，「２枚」，「３枚」の印刷枚数の指定を受け付ける。
【００２９】
記入部９１３０のマーク部９１４２，９１４４，９１４６の各々は、本実施例では、内側が空白である楕円を五つ横に並べた図形であり、マーク部９１４２，９１４４，９１４６の下段には、五つの楕円のうち左端の楕円の下方に「強く」の文字が付され、五つの楕円のうち中央の楕円の下方に「普通」の文字が付され、五つの楕円のうち右端の楕円の下方に「弱く」の文字が付されている。これによって、マーク部９１４２，９１４４，９１４６の各々は、五段階の補正レベルを受け付ける。
【００３０】
図６は、第１の実施例において画像を印刷するための情報がユーザによって記入された図４のオーダシート９１０の一例を示す説明図である。図７は、図６に示すオーダシート９１０の記入部９１３０を拡大して示す説明図である。図６のオーダシート９１０は、画像を印刷するためにユーザによって記入された情報として、印刷用紙指定欄９１１０の複数のマーク部９１１２の一つの内側を塗り潰したマークＭＫと、印刷態様指定欄９１２０の複数のマーク部９１３６，９１４２，９１４４，９１４６のいくつかの内側を塗り潰したマークＭＫとを有する。
【００３１】
図５に示す例では、印刷用紙指定欄９１１０には、「写真用紙‐Ｌ判」に対応するマーク部９１１２にマークＭＫが記入されている。図５に示す印刷態様指定欄９１２０については、例えば、図７に示すデータ名「ＧＤ０１１０」に関する記入部９１３０には、印刷枚数を受け付けるマーク部９１３６における「２」の数字が付された楕円にマークＭＫが記入され、「明るさ」の補正レベルを受け付けるマーク部９１４２における左端から２番目の楕円にマークＭＫが記入され、「色合い」の補正レベルを受け付けるマーク部９１４４における中央の楕円にマークＭＫが記入され、「シャープネス」の補正レベルを受け付けるマーク部９１４６における右端の楕円にマークＭＫが記入されている。
【００３２】
図３の説明に戻り、図４に示したオーダシート９１０が印刷された後（ステップＳ１１０）、図６に示したオーダシート９１０がユーザによって印刷装置１０のスキャナ部１３０にセットされ、図６に示したオーダシート９１０のスキャン要求がユーザによって入力ボタン部１７０を介して入力された際に、印刷装置１０のメイン制御部１１０は、セットされているオーダシート９１０をスキャンする指示をスキャナ部１３０に対して行うことによって、オーダシート９１０をスキャンしたスキャン画像をスキャナ部１３０から取得する（ステップＳ１１５）。
【００３３】
その後、メイン制御部１１０は、スキャナ部１３０から取得したスキャン画像から、印刷用紙指定欄９１１０のマーク部９１１２に記入されたマークＭＫや、印刷態様指定欄９１２０のマーク部９１３６，９１４２，９１４４，９１４６に記入されたマークＭＫを認識する（ステップＳ１２０）。なお、マークＭＫの認識は、印刷されるオーダシート９１０と、スキャンされるオーダシート９１０との間の色差分値を解析することによって実現されても良いし、スキャンされるオーダシート９１０上の特定色を抽出することによって実現されても良い。
【００３４】
各マークＭＫがスキャン画像から認識された後（ステップＳ１２０）、メイン制御部１１０は、オーダシート９１０に示された順序で最初の画像を印刷するための準備を行った後（ステップＳ１３０）、準備された画像を印刷するか否かを判断する（ステップＳ１４０）。本実施例では、印刷枚数を受け付けるマーク部９１３６にマークＭＫが認識されている場合に、その準備された画像を印刷することが決定される。
【００３５】
準備された画像を印刷することが決定されると（ステップＳ１４０）、メイン制御部１１０は、各画像補正の補正レベルを受け付けるマーク部９１４２，９１４４，９１４６にマークＭＫが認識されているか否かを判断する（ステップＳ１５０）。
【００３６】
マーク部９１４２，９１４４，９１４６にマークＭＫが認識されていると判断された場合には（ステップＳ１５０）、メイン制御部１１０は、準備された画像にマークＭＫが認識された各補正レベルの画像補正を施した補正画像を、印刷用紙指定欄９１１０に指定された印刷用紙に、マーク部９１３６に指定された印刷枚数で印刷するための指示を印刷部１２０に対して行う（ステップＳ１７０）。
【００３７】
本実施例では、例えば、図６のオーダシート９１０におけるデータ名「ＧＤ０１１２」，「ＧＤ０１１５」に関する記入部９１３０のように、マーク部９１４２，９２１４，９１４６にマークＭＫが記入されていない項目がある場合には、マークＭＫが記入されている画像補正のみが実施される。本実施例では、マーク部９１４２，９１４４，９１４６で受け付けられる画像補正の種類およびその補正レベルの度合は、予め設定されたものであるが、画像補正が施される画像データの特徴量（例えば、平均値，最頻値，ダイナミックレンジ，エッジ量，分散量など）に応じて、画像補正の種類およびその補正レベルの度合を変更することとしても良い。
【００３８】
図３の説明に戻り、マーク部９１４２，９１４４，９１４６にマークＭＫが認識されていないと判断された場合には（ステップＳ１５０）、メイン制御部１１０は、読み出された画像データから直接的に描かれる元画像を、印刷用紙指定欄９１１０に指定された印刷用紙に、マーク部９１３６に指定された印刷枚数で印刷するための指示を印刷部１２０に対して行う（ステップＳ１５５）。メイン制御部１１０は、オーダシート９１０に示された画像の全てについて上述の処理を行った後（ステップＳ１８０,Ｓ１８５）、図３の画像印刷処理を終了する。
【００３９】
以上説明した第１の実施例の画像印刷技術によれば、印刷装置１０のユーザは、印刷される画像に施される画像処理に関する要求を、オーダシート９１０を用いて印刷装置に対して行うことができる。したがって、オーダシート９１０を利用した画像印刷の利便性を向上させることができる。また、オーダシート９１０には、各画像補正の補正レベルの記入を受け付けるマーク部９１４２，９１４４，９１４６が設けられるため、印刷装置１０のユーザは、印刷される画像の補正レベルを、オーダシート９１０を用いて指定することができる。
【００４０】
Ｂ．第２の実施例（画質レベルの提示）：
第２の実施例における印刷装置１０の構成および動作は、画像の画質レベルが提示されたオーダシートを利用して画像を印刷する点以外、第１の実施例における印刷装置１０の構成および動作と同様である。
【００４１】
図８は、第２の実施例において印刷装置１０のメイン制御部１１０によって実行される画像印刷処理を示すフローチャートである。印刷装置１０のメイン制御部１１０は、第１の実施例と同様に画像データを読み出した後（ステップＳ１０５）、読み出した画像データを解析してその画像の画質レベルを評価する（ステップＳ２０７）。画質レベルが評価される際には、その画像データの画像データの特徴量（例えば、平均値，最頻値，ダイナミックレンジ，エッジ量，分散量など）が算出され、算出された特徴量に基づいて、その画像の画質レベルとして、ぼやけ，ぶれ，露出度合，ノイズなどが評価される。
【００４２】
画質レベルが評価された後（ステップＳ２０７）、メイン制御部１１０は、評価された画質レベルが示されたオーダシートを印刷するための指示を印刷部１２０に対して行う（ステップＳ２１０）。
【００４３】
図９は、第２の実施例において印刷装置１０によって印刷されたオーダシート９２０の一例を示す説明図である。図９のオーダシート９２０は、第１の実施例のオーダシート９１０と同様に、画像データに基づく画像が印刷される印刷用紙の種類を指定するための情報の記入をユーザから受け付ける受付欄である印刷用紙指定欄９２１０と、画像データに基づく画像の個々に関する印刷態様を指定するための情報の記入をユーザから受け付ける受付欄である印刷態様指定欄９２２０とを有するが、印刷態様指定欄９２２０の記入部９２３０に画質レベルが提示されている点で第１の実施例のオーダシート９１０と異なる。
【００４４】
図１０は、図９に示すオーダシート９２０の記入部９２３０を拡大して示す説明図である。オーダシート９２０の記入部９２３０は、第１の実施例の記入部９１３０と同様に、画像データの識別子を示すデータ名９２３２と、その画像データに基づく画像を示すインデックス画像９２３４と、その画像データに基づく画像の印刷枚数を受け付けるマーク部９２３６と、その印刷される画像に施すべき画像補正の補正レベルを受け付けるマーク部９２４２，９２４４，９２４６とを有するが、その画像の画質レベルがマーク部９２４２，９２４４，９２４６に提示されている点で第１の実施例の記入部９１３０と異なる。
【００４５】
本実施例では、評価された画質レベルは、マーク部９２４２，９２４４，９２４６の各画像補正の補正レベルに相当する評価値に換算され、換算された評価値を示す現状値マーク９２５０が、その評価値に対応する補正レベルを示すマーク部９２４２，９２４４，９２４６に付される。現状値マーク９２５０は、マークＭＫが認識される際に（ステップＳ１２０）、マークＭＫと明確に識別可能な色で印刷される。図１０に示す例では、「明るさ」に関する画質レベルを示すマーク部９２４２には、「強い」レベルを示す左端の楕円に現状値マーク９２５０が付され、「色合い」に関する画質レベルを示すマーク部９２４４には、「やや弱い」レベルを示す右端から二番目の楕円に現状値マーク９２５０が付され、「シャープネス」に関する画質レベルを示すマーク部９２４６には、「普通」レベルを示す中央の楕円に現状値マーク９２５０が付されている。なお、本実施例では、インデックス画像９２３４は、読み出された画像データから直接的に描かれる元画像である。
【００４６】
図８の説明に戻り、図９に示すオーダシート９２０が印刷された後（ステップＳ２１０）、メイン制御部１１０は、第１の実施例における図３の画像印刷処理と同様に、オーダシート９２０のスキャン（ステップＳ１１５）以降の処理を実行する。
【００４７】
以上説明した第２の実施例の画像印刷技術によれば、印刷装置１０のユーザは、印刷される画像に施される画像処理に関する要求を、オーダシート９２０を用いて印刷装置１０に対して行うことができる。また、オーダシート９２０には、画質レベルの現状値を提示する現状値マーク９２５０がマーク部９１４２，９１４４，９１４６に付されるため、印刷装置１０のユーザは、オーダシート９２０に示された画質レベルを参考にした上で、オーダシート９２０を用いて画像処理に関する要求を印刷装置１０に対して行うことができる。したがって、オーダシート９２０を利用した画像印刷の利便性を向上させることができる。
【００４８】
Ｃ．第３の実施例（撮影状況データによる補正態様の提示）：
第３の実施例における印刷装置１０の構成および動作は、画像データに含まれる撮影状況データに基づく画像補正の態様が提示されたオーダシートを利用して画像を印刷する点以外、第１の実施例における印刷装置１０の構成および動作と同様である。
【００４９】
図１１は、第３実施例において印刷装置１０のメイン制御部１１０によって実行される画像印刷処理を示すフローチャートである。印刷装置１０のメイン制御部１１０は、第１の実施例と同様に画像データを読み出した後（ステップＳ１０５）、読み出した画像データに含まれる撮影状況データに基づく画像補正の態様が示されたオーダシートを印刷するための指示を印刷部１２０に対して行う（ステップＳ３１０）。
【００５０】
図１２は、第３の実施例におけるオーダシートの記入部９３３０を示す説明図である。第３の実施例におけるオーダシートの記入部９３３０は、第１の実施例の記入部９１３０と同様に、画像データの識別子を示すデータ名９３３２と、その画像データに基づく画像を示すインデックス画像９３３４と、その画像データに基づく画像の印刷枚数を受け付けるマーク部９３３６と、その印刷される画像に施すべき画像補正の補正レベルを受け付けるマーク部９３４２，９３４４，９３４６とを有するが、インデックス画像９３３４は、その画像データに含まれる撮影状況データに基づいて画像補正され、そのインデックス画像９３３４に施された画像補正の態様がマーク部９２４２，９２４４，９２４６に提示されている点で第１の実施例の記入部９１３０と異なる。
【００５１】
本実施例では、画像データに含まれる撮影状況データは、イグジフ規格（Exchangeable image file format, Exif）のデータであり、撮影状況データには、その画像データの撮影時に関する情報として、例えば、デジタルスチルカメラによる撮影モード，ホワイトバランス，シャッタ速度，絞りなどの情報が含まれる。本実施例では、メイン制御部１１０は、予め設定された基準に従って、撮影状況データに応じた画像補正を実施する。
【００５２】
本実施例では、インデックス画像９３３４に施された画像補正の補正レベルを示す補正値マーク９３５０が、その補正レベルを示すマーク部９３４２，９３４４，９３４６に付される。補正値マーク９３５０は、マークＭＫが認識される際に（ステップＳ１２０）、マークＭＫと明確に識別可能な色で印刷される。図１２に示す例では、「明るさ」に関する画像補正の補正レベルを示すマーク部９３４２には、「やや弱い」レベルを示す右端から二番目の楕円に補正値マーク９３５０が付され、「色合い」に関する画像補正の補正レベルを示すマーク部９３４４には、「強い」レベルを示す左端の楕円に補正値マーク９３５０が付され、「シャープネス」に関する画像補正の補正レベルを示すマーク部９３４６には、「普通」レベルを示す中央の楕円に補正値マーク９３５０が付されている。
【００５３】
図１１の説明に戻り、オーダシートが印刷された後（ステップＳ３１０）、メイン制御部１１０は、第１の実施例における図３の画像印刷処理と同様に、オーダシートのスキャン（ステップＳ１１５）以降の処理を実行する。
【００５４】
以上説明した第３の実施例の画像処理技術によれば、印刷装置１０のユーザは、印刷される画像に施される画像処理に関する要求を、オーダシートを用いて印刷装置１０に対して行うことができる。また、オーダシートの記入部９３３０には、撮影状況データに基づく画像補正の補正レベルを提示する補正値マーク９３５０がマーク部９３４２，９３４４，９３４６に付されるため、印刷装置１０のユーザは、撮影状況データに基づく画像補正を、オーダシートを用いて調整することができる。したがって、オーダシートを利用した画像印刷の利便性を向上させることができる。
【００５５】
Ｄ．第４の実施例（サンプル画像の一覧の提示）：
第４の実施例における印刷装置１０の構成および動作は、種々の態様で画像補正を施したサンプル画像の一覧が提示されたオーダシートを利用して画像を印刷する点以外、第１の実施例における印刷装置１０の構成および動作と同様である。
【００５６】
図１３は、第４実施例において印刷装置１０のメイン制御部１１０によって実行される画像印刷処理を示すフローチャートである。印刷装置１０のメイン制御部１１０は、第１の実施例と同様に画像データを読み出した後（ステップＳ１０５）、読み出した画像データに基づく画像に種々の態様で画像補正を施したサンプル画像の一覧が示されたオーダシートを印刷するための指示を印刷部１２０に対して行う（ステップＳ４１０）。
【００５７】
図１４は、第４の実施例におけるオーダシートの記入部９４３０を示す説明図である。第４の実施例におけるオーダシートの記入部９４３０は、第１の実施例の記入部９１３０と同様に、画像データの識別子を示すデータ名９４３２と、その画像データに基づく画像の印刷枚数を受け付けるマーク部９４３６とを有するが、その画像に種々の態様で画像補正を施したサンプル画像９４４０の一覧と、各サンプル画像９４４０にそれぞれ対応するマーク部９４５０とを有する点で、第１の実施例の記入部９１３０と異なる。
【００５８】
図１４に示す例では、サンプル画像９４４０の一覧は、合計２５個のサンプル画像９４４０を５行５列で配置して構成され、各サンプル画像９４４０の画像補正の態様は、「彩度」に関する画像補正の補正レベルが行方向の右側に向かうに従って高くなり、「明度」に関する画像補正の補正レベルが列方向の下方向に向かうに従って高くなっている。
【００５９】
図１５は、画像を印刷するための情報がユーザによって記入された図１４に示す記入部９４３０を示す説明図である。図１５に示す例では、印刷枚数を受け付けるマーク部９４３６には、二枚の印刷枚数を示すマークＭＫが記入され、印刷される画像の補正態様を受け付けるマーク部９４５０には、サンプル画像９４４０の一覧のうち３行４列目の画像を示すマークＭＫが記入されている。この場合には、印刷装置１０のメイン制御部１１０は、３行４列目に相当する補正レベルで画像補正を施した二枚の補正画像を印刷する（ステップＳ１７０）。
【００６０】
以上説明した第４の実施例の画像処理技術によれば、印刷装置１０のユーザは、印刷される画像に施される画像処理に関する要求を、オーダシートを用いて印刷装置１０に対して行うことができる。また、オーダシートの記入部９４３０は、種々の補正態様を示すサンプル画像９４４０の一覧と共に、それぞれのサンプル画像９４４０に対応するマーク部９４５０を有するため、印刷装置１０のユーザは、サンプル画像９４４０を参考にして画像補正の態様を選択することができる。したがって、オーダシートを利用した画像印刷の利便性を向上させることができる。
【００６１】
Ｅ．第５の実施例（補正種類の指定）：
第５の実施例における印刷装置１０の構成および動作は、補正種類の指定をオーダシートで受け付けた後、補正レベルをユーザから受け付ける点以外、第１の実施例における印刷装置１０の構成および動作と同様である。
【００６２】
図１６は、第５実施例において印刷装置１０のメイン制御部１１０によって実行される画像印刷処理を示すフローチャートである。印刷装置１０のメイン制御部１１０は、第１の実施例と同様に画像データを読み出した後（ステップＳ１０５）、読み出した画像データに基づく画像に施すべき画像補正の種類を受け付けるオーダシートを印刷するための指示を印刷部１２０に対して行う（ステップＳ５１０）。
【００６３】
図１７は、第５の実施例におけるオーダシートの記入部９５３０を示す説明図である。第５の実施例におけるオーダシートの記入部９５３０は、第１の実施例の記入部９１３０と同様に、画像データの識別子を示すデータ名９５３２と、その画像データに基づく画像を示すインデックス画像９５３４と、その画像データに基づく画像の印刷枚数を受け付けるマーク部９５３６とを有するが、補正レベルを受け付けるマーク部９１４２，９１４４，９１４６に代えて、その印刷される画像に施すべき画像補正の種類の指定を受け付けるマーク部９５４０を有する点で第１の実施例の記入部９１３０と異なる。図１７に示す例では、画像補正の種類の指定を受け付けるマーク部９５４０は、「明るさ」，「色合い」，「シャープネス」，「トリミング」の画像補正の種類にそれぞれ対応する四つの楕円を縦に並べた図形である。
【００６４】
図１８は、画像を印刷するための情報がユーザによって記入された図１７に示す記入部９５３０を示す説明図である。図１５に示す例では、印刷枚数を受け付けるマーク部９５３６には、一枚の印刷枚数を示すマークＭＫが記入され、画像補正の種類の指定を受け付けるマーク部９５４０には、画像補正の種類として「トリミング」を示すマークＭＫが記入されている。
【００６５】
図１６の説明に戻り、準備された画像を印刷することが決定されると（ステップＳ１４０）、メイン制御部１１０は、画像補正の種類を受け付けるマーク部９５４０にマークＭＫが認識されているか否かを判断する（ステップＳ５５０）。マーク部９５４０にマークＭＫが認識されていると判断された場合には（ステップＳ５５０）、メイン制御部１１０は、マーク部９５４０に記入されたマークＭＫに対応する画像補正の補正レベルをユーザから受け付けるための画面をディスプレイ部１６０に表示し、補正レベルや補正部位などの指定をユーザから入力ボタン部１７０を介して受け付ける（ステップＳ５７２）。その後、メイン制御部１１０は、マーク部９５４０に記入されたマークＭＫに対応する画像補正をユーザから受け付けた補正レベルで施した補正画像の印刷を行う（ステップＳ５７４）。
【００６６】
以上説明した第５の実施例の画像印刷技術によれば、印刷装置１０のユーザは、印刷される画像に施される画像処理に関する要求を、オーダシートを用いて印刷装置１０に対して行うことができる。また、印刷装置１０のユーザは、オーダシートを用いて画像補正の種類を指定することができる。また、印刷装置１０のユーザは、オーダシートを利用して画像補正の種類を指定した後、その画像補正の補正レベルを印刷装置１０に指示することができる。したがって、オーダシートを利用した画像印刷の利便性を向上させることができる。
【００６７】
Ｆ．第６の実施例（補正部位の指定）：
第６の実施例における印刷装置１０の構成および動作は、画像上の補正部位をオーダシートで受け付ける点以外、第１の実施例における印刷装置１０の構成および動作と同様である。
【００６８】
図１９は、第６実施例において印刷装置１０のメイン制御部１１０によって実行される画像印刷処理を示すフローチャートである。印刷装置１０のメイン制御部１１０は、第１の実施例と同様に画像データを読み出した後（ステップＳ１０５）、読み出した画像データに基づく画像に施すべき画像補正の種類を受け付けるオーダシートを印刷するための指示を印刷部１２０に対して行う（ステップＳ６１０）。
【００６９】
図２０は、第６の実施例におけるオーダシートの記入部９６３０を示す説明図である。第６の実施例におけるオーダシートの記入部９６３０は、第１の実施例の記入部９１３０と同様に、画像データの識別子を示すデータ名９６３２と、その画像データに基づく画像を示すインデックス画像９６３４と、その画像データに基づく画像の印刷枚数を受け付けるマーク部９６３６とを有するが、補正レベルを受け付けるマーク部９１４２，９１４４，９１４６に代えて、その印刷される画像に施すべき画像補正の種類の指定を受け付けるマーク部９６４０を有する点で第１の実施例の記入部９１３０と異なる。図２０に示す例では、画像補正の種類の指定を受け付けるマーク部９６４０は、「トリミング」，「赤目補正」，「ホワイトポイント指定」の画像補正の種類にそれぞれ対応する三つの楕円を縦に並べた図形である。
【００７０】
図２１は、画像を印刷するための情報がユーザによって記入された図２０に示す記入部９６３０を示す説明図である。図２１に示す例では、印刷枚数を受け付けるマーク部９６３６には、二枚の印刷枚数を示すマークＭＫが記入され、画像補正の種類の指定を受け付けるマーク部９６４０には、画像補正の種類として「赤目補正」を示すマークＭＫが記入され、インデックス画像９６３４には、「赤目補正」を施す画像上の補正部位で囲む円状の図形であるマークＭＫｃが記入されている。図２１に示す例では、マークＭＫｃは、インデックス画像９６３４に示された猫の画像の両目をそれぞれ囲む様子が示されている。なお、マークＭＫｃの形状は、円状に限るものではなく、例えば、画像補正の種類として「トリミング」を選択する場合には、マークＭＫｃの形状は矩形であっても良い。
【００７１】
図１９の説明に戻り、オーダシートがスキャンされた後（ステップＳ１１５）、メイン制御部１１０は、各マーク部に記入されたマークＭＫに加え、インデックス画像９６３４上に記入されたマークＭＫｃを認識する（ステップＳ６２０）。なお、マークＭＫｃの認識は、印刷されるオーダシートと、スキャンされるオーダシートとの間の色差分値を解析することによって実現されても良いし、スキャンされるオーダシート上の特定色を抽出することによって実現されても良い。
【００７２】
準備された画像を印刷することが決定されると（ステップＳ１４０）、メイン制御部１１０は、画像補正の種類を受け付けるマーク部９６４０にマークＭＫが認識されているか否かを判断する（ステップＳ６５０）。マーク部９６４０にマークＭＫが認識されていると判断された場合には（ステップＳ６５０）、メイン制御部１１０は、マーク部９６４０に記入されたマークＭＫに対応する画像補正を、インデックス画像９６３４上に記入されたマークＭＫｃで示された補正部位に施した補正画像の印刷を行う（ステップＳ６７０）。
【００７３】
以上説明した第６の実施例の画像印刷技術によれば、印刷装置１０のユーザは、印刷される画像に施される画像処理に関する要求を、オーダシートを用いて印刷装置１０に対して行うことができる。また、印刷装置１０のユーザは、オーダシートを利用して画像の補正箇所を指定することができる。したがって、オーダシートを利用した画像印刷の利便性を向上させることができる。
【００７４】
Ｇ．第７の実施例（補正レベルの修正）：
第７の実施例における印刷装置１０の構成および動作は、印刷に先立って補正レベルの修正を実施するか否かをオーダシートで受け付ける点以外、第１の実施例における印刷装置１０の構成および動作と同様である。
【００７５】
図２２は、第７実施例において印刷装置１０のメイン制御部１１０によって実行される画像印刷処理を示すフローチャートである。印刷装置１０のメイン制御部１１０は、第１の実施例と同様に画像データを読み出した後（ステップＳ１０５）、補正レベルの修正の要否の記入を受け付けるオーダシートを印刷するための指示を印刷部１２０に対して行う（ステップＳ７１０）。
【００７６】
図２３は、第７の実施例において印刷装置１０によって印刷されたオーダシート９７０の一例を示す説明図である。図２１のオーダシート９７０は、印刷に先立って補正レベルの修正を実施するか否かの記入を受け付けるマーク部９７４０を有する点以外は、第１の実施例のオーダシート９１０と同様である。
【００７７】
図２２の説明に戻り、補正レベルを受け付けるマーク部にマークＭＫが認識されていると判断された場合には（ステップＳ１５０）、メイン制御部１１０は、マーク部９７４０にマークＭＫが認識されている場合には（ステップＳ７７２）、補正画像をディスプレイ部１６０に表示して、補正レベルの修正をユーザから入力ボタン部１７０を介して受け付ける（ステップＳ７７４）。その後、メイン制御部１１０は、ユーザから受け付けた補正レベルの修正を反映させた補正画像の印刷を行う（ステップＳ７７６）。
【００７８】
以上説明した第７の実施例の画像印刷技術によれば、印刷装置１０のユーザは、印刷される画像に施される画像処理に関する要求を、オーダシートを用いて印刷装置１０に対して行うことができる。また、印刷装置１０のユーザは、画像補正が施された画像を確認しつつ、その画像補正の修正を指示することによって、所望の画像補正が施された画像の印刷物を得ることができる。また、印刷装置１０のユーザは、補正画像の修正を自ら行うか否かを、オーダシートを用いて選択することができる。したがって、オーダシートを利用した画像印刷の利便性を向上させることができる。
【００７９】
Ｈ．第８の実施例（サンプル画像に対する補正種類の指定）
第８の実施例における印刷装置１０の構成および動作は、サンプル画像の一覧に施される画像補正の選択を、オーダシートを利用して受け付けた後、サンプル画像の一覧が提示された別のオーダシートを印刷する点以外、第１の実施例における印刷装置１０の構成および動作と同様である。
【００８０】
図２４は、第８の実施例において印刷装置１０のメイン制御部１１０によって実行される画像印刷処理を示すフローチャートである。印刷装置１０のメイン制御部１１０は、第１の実施例と同様に画像データを読み出した後（ステップＳ１０５）、第３の実施例と同様に、読み出した画像データに含まれる撮影状況データに基づく画像補正の態様が示されたオーダシートを印刷するための指示を印刷部１２０に対して行う（ステップＳ８１０）。
【００８１】
図２５は、第８の実施例におけるオーダシートの記入部９３３５を示す説明図である。第８の実施例におけるオーダシートの記入部９３３５は、印刷される画像に施すべき画像補正の補正レベルを受け付けるマーク部９３４２，９３４４，９３４６，９３４７を有し、これらのマーク部にそれぞれ対応する画像補正の種類の選択を受け付けるマーク部９３６０を有する点以外は、図１２に示した記入部９３３０と同様である。図２５に示す例では、画像補正の種類として、「明るさ」，「色合い」，「シャープネス」，「彩度」についての補正種類がそれぞれ提示されている。
【００８２】
図２４の説明に戻り、オーダシートが印刷された後（ステップＳ８１０）、メイン制御部１１０は、ユーザによって記入されたオーダシートをスキャンして（ステップＳ８１２）、記入部９３３５に記入されたマークＭＫを認識する（ステップＳ８１４）。その後、メイン制御部１１０は、補正種類の選択があるか否か、すなわち、画像補正の種類の選択を受け付けるマーク部９３６０にマークＭＫがあるか否かを判断する（ステップＳ８１６）。
【００８３】
補正種類の選択がある場合、すなわち、マーク部９３６０にマークＭＫがある場合には（ステップＳ８１６）、メイン制御部１１０は、マークＭＫが記入されている種類の画像補正を施したサンプル画像の一覧が提示されたオーダシートを印刷する（ステップＳ８１８）。
【００８４】
図２５に示す例のように、「明るさ」および「シャープネス」の２種類の補正が指定されている場合、本実施例では、図１４に示したオーダシートのように、縦方向に一方の補正種類についての補正レベルの順に並べると共に、横方向に他方の補正種類についての補正レベルの順に並べたサンプル画像９４４０の一覧が提示される。
【００８５】
図２６は、第８の実施例における１種類の補正が指定されたオーダシートの記入部９４３５を示す説明図である。図２６に示す例では、補正種類として「明度」が指定された場合の例を示し、画像補正の補正レベルが行方向の右側に向かうに従って高くなるように並べたサンプル画像９４４０の一覧が提示されている。なお、図２６では、補正種類として「明度」が指定された場合を示したが、他の実施形態として、例えば、印刷装置１０が、印刷画像の画質を適切な状態に自動調整する自動画質調整機能を備える場合、「自動画質調整」の補正レベルを変化させたサンプル画像９４４０の一覧が提示されたオーダシートを利用して画像印刷の指示を受け付けても良い。
【００８６】
なお、画像補正の種類の選択を受け付けるマーク部９３６０にマークＭＫが２つ以上記入された場合、選択された項目のうち上から２つの項目の補正種類についてサンプル画像９４４０を生成しても良いし、予め補正種類に優先順位を設定しておき優先順位の高い補正種類についてサンプル画像９４４０を生成しても良い。
【００８７】
以上説明した第８の実施例の画像処理技術によれば、印刷装置１０のユーザは、オーダシートを用いて、サンプル画像９４４０の一覧が提示された別のオーダシートを要求することができると共に、そのサンプル画像９４４０の一覧に施される補正種類を選択することができる。
【００８８】
Ｉ．その他の実施形態：
以上、本発明の実施の形態について説明したが、本発明は、前述の実施の形態に何ら限定されるものではなく、本発明の趣旨を逸脱しない範囲内において様々な形態で実施し得ることは勿論である。例えば、補正レベルを受け付けるマーク部は、楕円を並べた形状に限るものではなく、目盛を配した線であっても良いし、数字を記入するための枠であっても良い。図２７は、その他の実施形態における記入部９８３０を示す説明図である。図２８は、その他の実施形態において画像を印刷するための情報がユーザによって記入された図２７の記入部９８３０を示す説明図である。図２７および図２８では、補正レベルを受け付けるマーク部９８４２，９８４４，９８４６は、目盛を配した線であり、図２８に示すように、その線上に手書きによる丸状のマークＭＫｓが記入される。また、パーソナルコンピュータと印刷装置とスキャナ装置とを備えるコンピュータシステムにおいて、パーソナルコンピュータに記憶されている画像データを、印刷装置を用いて印刷する場合に、本発明を適用することとしても良い。
【００８９】
また、第６の実施例において、画像補正の種類として、「トリミング」，「赤目補正」，「ホワイトポイント指定」に加えて、「逆光補正」を追加しても良い。図２９は、その他の実施形態における逆光補正を指定可能なオーダシートの記入部９６３５を示す説明図である。記入部９６３５は、画像補正の種類の指定を受け付けるマーク部９６４５を備える点以外は、図２０に示した第６の実施例における記入部９６３０と同様である。本実施例では、マーク部９６４５は、「トリミング」，「赤目補正」，「ホワイトポイント指定」，「逆光補正」の画像補正の種類にそれぞれ対応する四つの楕円を縦に並べた図形である。図２９に示す例では、画像補正の種類の指定を受け付けるマーク部９６４５には、画像補正の種類として「逆光補正」を示すマークＭＫが記入され、インデックス画像９６３４には、逆光によって暗く写っている人物の顔領域を囲むマークＭＫｃが記入されている。本実施例では、マークＭＫｃによって囲まれた肌色領域の明度や輝度から逆光補正の補正態様が選定される。
【図面の簡単な説明】
【００９０】
【図１】印刷装置１０の外観構成を示す斜視図である。
【図２】印刷装置１０の内部構成を示す説明図である。
【図３】第１の実施例において印刷装置１０のメイン制御部１１０によって実行される画像印刷処理を示すフローチャートである。
【図４】第１の実施例において印刷装置１０によって印刷されたオーダシート９１０の一例を示す説明図である。
【図５】図４に示すオーダシート９１０の記入部９１３０を拡大して示す説明図である。
【図６】第１の実施例において画像を印刷するための情報がユーザによって記入された図４のオーダシート９１０の一例を示す説明図である。
【図７】図６に示すオーダシート９１０の記入部９１３０を拡大して示す説明図である。
【図８】第２の実施例において印刷装置１０のメイン制御部１１０によって実行される画像印刷処理を示すフローチャートである。
【図９】第２の実施例において印刷装置１０によって印刷されたオーダシート９２０の一例を示す説明図である。
【図１０】図９に示すオーダシート９２０の記入部９２３０を拡大して示す説明図である。
【図１１】第３実施例において印刷装置１０のメイン制御部１１０によって実行される画像印刷処理を示すフローチャートである。
【図１２】第３の実施例におけるオーダシートの記入部９３３０を示す説明図である。
【図１３】第４実施例において印刷装置１０のメイン制御部１１０によって実行される画像印刷処理を示すフローチャートである。
【図１４】第４の実施例におけるオーダシートの記入部９４３０を示す説明図である。
【図１５】画像を印刷するための情報がユーザによって記入された図１４に示す記入部９４３０を示す説明図である。
【図１６】第５実施例において印刷装置１０のメイン制御部１１０によって実行される画像印刷処理を示すフローチャートである。
【図１７】第５の実施例におけるオーダシートの記入部９５３０を示す説明図である。
【図１８】画像を印刷するための情報がユーザによって記入された図１７に示す記入部９５３０を示す説明図である。
【図１９】第６実施例において印刷装置１０のメイン制御部１１０によって実行される画像印刷処理を示すフローチャートである。
【図２０】第６の実施例におけるオーダシートの記入部９６３０を示す説明図である。
【図２１】画像を印刷するための情報がユーザによって記入された図２０に示す記入部９６３０を示す説明図である。
【図２２】第７実施例において印刷装置１０のメイン制御部１１０によって実行される画像印刷処理を示すフローチャートである。
【図２３】第７の実施例において印刷装置１０によって印刷されたオーダシート９７０の一例を示す説明図である。
【図２４】第８の実施例において印刷装置１０のメイン制御部１１０によって実行される画像印刷処理を示すフローチャートである。
【図２５】第８の実施例におけるオーダシートの記入部９３３５を示す説明図である。
【図２６】第８の実施例における１種類の補正が指定されたオーダシートの記入部９４３５を示す説明図である。
【図２７】その他の実施形態における記入部９８３０を示す説明図である。
【図２８】その他の実施形態において画像を印刷するための情報がユーザによって記入された図２４の記入部９８３０を示す説明図である。
【図２９】その他の実施形態における逆光補正を指定可能なオーダシートの記入部９６３５を示す説明図である。
【符号の説明】
【００９１】
１０…印刷装置
１１０…メイン制御部
１１２…画像読出部
１１４…オーダシート印刷制御部
１１６…スキャン認識部
１１８…補正印刷制御部
１２０…印刷部
１３０…スキャナ部
１４０…カードスロット
１５０…通信コネクタ
１６０…ディスプレイ部
１７０…入力ボタン部
２００…キャリッジ
２１０…印刷ヘッドユニット
２１１〜２１６…インク吐出ヘッド
２４０…キャリッジ駆動部
２５０…印刷媒体搬送部
８１０…記憶媒体
８２０…外部機器
９００…印刷媒体
９１０…オーダシート
９１１０…印刷用紙指定欄
９１１２…マーク部
９１２０…印刷態様指定欄
９１３０…記入部
９１３２…データ名
９１３４…インデックス画像
９１３６，９１４２，９１４４，９１４６…マーク部
９２０…オーダシート
９２１０…印刷用紙指定欄
９２２０…印刷態様指定欄
９２３０…記入部
９２３２…データ名
９２３４…インデックス画像
９２３６，９２４２，９２４４，９２４６…マーク部
９２５０…現状値マーク
９３３０，９３３５…記入部
９３３２…データ名
９３３４…インデックス画像
９３３６，９３４２，９３４４，９３４６，９３４７，９３６０…マーク部
９３５０…補正値マーク
９４３０，９４３５…記入部
９４３２…データ名
９４３６…マーク部
９４４０…サンプル画像
９４５０…マーク部
９５３０…記入部
９５３２…データ名
９５３４…インデックス画像
９５３６…マーク部
９５４０…マーク部
９６３０，９６３５…記入部
９６３２…データ名
９６３４…インデックス画像
９６３６…マーク部
９６４０，９６４５…マーク部
９７０…オーダシート
９７４０…マーク部
９８３０…記入部
９８４２，９８４４，９８４６…マーク部
ＭＫ…マーク
ＭＫｃ…マーク
ＭＫｓ…マーク
【図１】
2007143115.tif 000003
【図２】
2007143115.tif 000004
【図３】
2007143115.tif 000005
【図４】
2007143115.tif 000006
【図５】
2007143115.tif 000007
【図６】
2007143115.tif 000008
【図７】
2007143115.tif 000009
【図８】
2007143115.tif 000010
【図９】
2007143115.tif 000011
【図１０】
2007143115.tif 000012
【図１１】
2007143115.tif 000013
【図１２】
2007143115.tif 000014
【図１３】
2007143115.tif 000015
【図１４】
2007143115.tif 000016
【図１５】
2007143115.tif 000017
【図１６】
2007143115.tif 000018
【図１７】
2007143115.tif 000019
【図１８】
2007143115.tif 000020
【図１９】
2007143115.tif 000021
【図２０】
2007143115.tif 000022
【図２１】
2007143115.tif 000023
【図２２】
2007143115.tif 000024
【図２３】
2007143115.tif 000025
【図２４】
2007143115.tif 000026
【図２５】
2007143115.tif 000027
【図２６】
2007143115.tif 000028
【図２７】
2007143115.tif 000029
【図２８】
2007143115.tif 000030
【図２９】
2007143115.tif 000031